Podtech/llm-jp-corpus-v4-ja_patent huggingface dataset:
(57)【要約】【課題】  公平にゲームを進行するルーレットゲーム盤を提供することを実現する。【解決手段】  数字が振られた溝をもつ回転盤と玉から構成され、回転盤を回転させ何番の目に玉が入るか当てるゲームに用いられるルーレット盤において、玉が複数あるルーレート盤を提供する。また、玉が多面体であり、玉、多面体が複数の色かつ／又は複数の材質であり、数字が３９以上かつ／又は数字が振られた溝の幅、深さが数字ごとに均一でないルーレット盤を提供する。【選択図】図１
2006346374.tif 000002
【特許請求の範囲】
【請求項１】
数字が振られた溝をもつ回転盤と玉から構成され、回転盤を回転させ何番の目に玉が入るか当てるゲームに用いられるルーレットゲーム盤において、玉が複数あることを特徴とするルーレットゲーム盤。
【請求項２】
請求項１において、玉が多面体であることを特徴とするルーレットゲーム盤。
【請求項３】
請求項１、請求項２において、玉、多面体が複数の色かつ／又は複数の材質であることを特徴とするルーレットゲーム盤。
【請求項４】
請求項１から請求項３において、数字が３９以上かつ／又は数字が振られた溝の幅、深さが数字ごとに均一でないことを特徴とするルーレットゲーム盤。
【発明の詳細な説明】
【発明の詳細な説明】
【技術分野】
【０００１】  本発明は、数字が振られた溝をもつ回転盤と玉から構成され、回転盤を回転させ何番の目に玉が入るか当てるゲームに用いられるルーレットゲーム盤において、玉が複数あることを特徴とするルーレットゲーム盤に関する。
【背景技術】
【０００２】  従来のルーレットゲーム盤は、０から３６までの３７種類の数字か０から３６までの数字と００の３８種類が区分された溝をもつ回転盤と１つの玉で構成されていた。【０００３】  このルーレート盤を用いて、回転させた回転盤に玉を入れて、どこの数字の溝に玉が入るか当てるゲームに持ち入れられてきた。
【発明が解決しようとする課題】
【０００４】  ところが、上述したルーレットゲーム盤では、熟練した人が回転盤に玉を入れる場合、玉の入れる溝を操作することが可能となり、ゲームとしての公平性に欠けるため、ゲームの面白みを損なうというものであった。
【０００５】  本発明は上述した背景に鑑みてなされたものであり、公平にゲームを進行するルーレットゲーム盤を提供することを目的とする。
【課題を解決するための手段】
【０００６】  上述した課題を解決するために請求項１に記載の発明は、数字が振られた溝をもつ回転盤と玉から構成され、回転盤を回転させ何番の目に玉が入るか当てるゲームに用いられるルーレット盤において、玉が複数あることを特徴とする。
【０００７】  また、請求項２に記載の発明は、請求項１記載のルーレットゲーム盤において、玉が多面体であることを特徴とする。
【０００８】  上述した課題を解決するために請求項３に記載の発明は、請求項１および請求項２記載のルーレットゲーム盤において、玉、多面体が複数の色かつ／又は複数の材質であることを特徴とする。
【０００９】  また、請求項４に記載の発明は、請求項１から請求項３記載のルーレットゲーム盤において、数字が３９以上かつ／又は数字が振られた溝の幅、深さが数字ごとに均一でないことを特徴とする。
【発明を実施するための最良の形態】
【００１０】  図１は、本発明におけるルーレートゲーム盤を説明するために引用した図である。ここでは、数字が振られた溝をもつ回転盤１と玉２が複数で構成されている。複数の玉が回転盤のどの目３に入るか当てることとなる。
なお、ここでは玉を２つとしたが、３つ以上でもよく、また玉２をふる人間を複数人としても良い。
更に全ての玉がどの目３に入るか当てるだけでなく、複数の玉のいくつを当てることをゲームの目的とし、ゲームの参加者同士で当てた数を競い合っても良い。
また、玉が２つとなることから玉同士が当たり回転盤１から飛び出すことも考慮して回転盤１に枠４を設けても良い。【００１１】  図２は、図１に示す玉２の形状を三角錐５とした場合を示している。
なお、図２では、三角錐５としたが他の多面体でも良い。【００１２】  図３は、図１及び図２に示す玉の材質をプラスチックとし色を赤色６、もう一つの材質をゴムとし色を青色の三角錐７とした場合を示している。
なお、ここでは玉６と三角錐７の２つとしたが、３つ以上でもよい。
更に、ゲームの目的を形状、色、材質がどの目に入るかをいくつ当てるかとしても良い。【００１３】  図４は、回転盤１において数字を４０までとし、目８，９は２種類の深さの溝とし、さらに目１０，１１は２種類の幅とした場合を示している。
また、２種類の目の深さと幅の組み合わせが可能である。
更に、ここでは溝の深さおよび幅をそれぞれ２種類としたが、それぞれ３種類以上としても良い。【００１４】  以上、本発明の実施形態を図面を参照して詳述してきたが、具体的な構成はこの実施形態に限られるものではなく、この発明の要旨を逸脱しない範囲の構成等も含まれる。
【発明の効果】
【００１５】  以上説明のように本発明によれば、公平にゲームを進行するルーレットゲーム盤を提供することができる。
【図面の簡単な説明】
【００１６】
【図１】  本発明におけるルーレートゲーム盤を説明するために引用した図である。
【図２】  図１における玉の形状を三角錐とした場合を示した図である。
【図３】  図１、図２における玉と３角錐の色と材質を変えた場合の図である。
【図４】  回転盤の目の溝の深さと幅を変えたものを示した図である。
【符号の説明】
【００１７】１  回転盤
２  玉
３  目
４  枠
５  三角錐
６  玉
７  三角錐
８  目
９  目
１０  目
１１  目
【図１】
2006346374.tif 000003
【図２】
2006346374.tif 000004
【図３】
2006346374.tif 000005
【図４】
2006346374.tif 000006
(57)【要約】【課題】  動物の胴体洗浄において、洗剤水等の飛散を防止し、洗浄、濯ぎを能率的に行い、動物の胴体の壺を刺激しマッサージ効果も兼ね備える器具を提供する。【解決手段】  動物の胴体部を背部から腹部方向にわたって覆うと共に下面が開口状態でマジックテープで保持され、放射状に内部に水が流れる構造を持ち、内側に４５度の角度の噴射口を数多くを設け、洗剤水や濯ぎ水が毛の奥まで入り易く形成された胴体覆い部１０と胴体覆い部に連接されるホース部１１、及びホース部に連接される洗剤供給部１２と胴体部を支えるバネを有した引掛け吊具１３を設けたものである。【選択図】  図１
2006346375.tif 000002
【特許請求の範囲】
【請求項１】
動物の胴体部を背中から、腹部方向にわたって覆い、下面が開口した状態で保持され、放射状に内部に水が通る構造を持ち、内側に４５度の角度に噴射口を数多く設けられた、胴体覆い部。胴体覆い部に連結されるホース部。ホース部に接続し、水道蛇口に連結される洗剤供給部。胴体覆い部を支えるバネを有した引掛け吊具を設けたことを特徴とする、動物用胴体洗浄・マッサージ器具。
【請求項２】
前記、洗浄供給部は、コックの開閉で洗剤量の調整、洗剤水、濯ぎ水への切り替えが出来るようにしたことを特徴とする、請求項１記載の動物用胴体洗浄・マッサージ器具。
【請求項３】
前記、胴体覆い部は、動物の毛の生え際方向に４５度の角度に噴射口を設け、水圧の調整、温水切替えにより、マッサージ効果を持たせることを特徴とする、請求項１記載の動物用胴体洗浄・マッサージ器具。
【発明の詳細な説明】
【発明の詳細な説明】
【技術分野】
【０００１】  本発明は、動物の胴体洗浄及び、マッサージに用いる器具に関するものである。
【背景技術】
【０００２】  飼育動物、特にペットとして飼われている動物は、衛生面、健康管理面や毛艶を良くするため、日頃から洗浄し、リンスを行う必要がある。
シャワーホースを利用したり、容器に水や温水を入れ直に動物に掛け、洗剤を塗布し、ブラッシングして洗っている場合が多く、時間と労働負荷が掛っている。又、洗浄中に動物が毛の水切りを行うと、室内や洗浄者に洗剤水や濯ぎ水、動物の毛などがかかり汚れてしまうことも多く、不衛生であるという問題点があった。【０００３】  特に、ペットとして室内で飼われている動物の場合も多くあり、ストレスが溜まりやすい環境にあります。ストレス解消として、散歩や遊び、マッサージなどの方法が一般的である。
【発明が解決しようとする課題】
【０００４】  本発明は、前記した問題点を解消する胴体覆い部の内側にてシャワー洗浄を行う形式で、洗剤水や濯ぎ水、動物の毛の飛散を防止し、洗浄、濯ぎ、リンスを能率的に行うことを目的とした。
【０００５】  本発明は、前記した問題点を解消する胴体覆い部の内側にてシャワー水圧の調節、温水切替えにより、動物の胴体の壺を刺激しマッサージ効果を持たせ、ストレス解消を行うことを目的とする。
【課題を解決するための手段】
【０００６】  前記目的を達成するため、請求項１に記載の発明に係る動物用胴体洗浄・マッサージ器具では、胴体覆い部図１のように、洗剤水、濯ぎ水、動物の毛の飛散がないことを特徴とする。胴体覆い部は、軽量で成型が簡単にでき、耐熱性に優れた樹脂を用い、内側の噴射口は動物の毛の生え際方向図４のように、４５度の角度を付け、此れにより毛の奥まで洗剤水や濯ぎ水が入り、洗浄、濯ぎ効果を高めたことを特徴とする。
【０００７】  請求項２に記載の発明に係る動物用胴体洗浄・マッサージ器具では、請求項１に記載の動物用胴体洗浄・マッサージ器具において、洗剤供給部は図５の如く、水圧の差を利用し、コックの開閉で洗剤量の調整と完閉することで濯ぎ水への切替えができることを特徴とする。
【０００８】  請求項３に記載の発明に係る動物用胴体洗浄・マッサージ器具では、前記胴体覆い部は、図４のように、水圧が動物の地肌へ届くように４５度の角度に噴射口を設け、水圧の調整、温水切替えにより、マッサージ効果を与えることを特徴とする。
【発明を実施するための最良の形態】
【０００９】  本発明の実施の形態を図面に基づいて説明すると、図２において、合成樹脂で成型加工する胴体覆い部１０は、中央上部にホース接続用のカプラ継手メス部１０−１を設け、動物の胴体に固定するマジックテープ帯部１０−２  ８本を設け、又、引掛け吊具を吊るすフック部１０−３を形成してある。
図１において、ホース部１１は、胴体覆い部１０と洗剤供給部１２とを結合すため、両端にカプラ継手オス部１１−１を形成してある。
図５において、洗剤供給部１２は、洗剤容器を上側より取付けるネジ部１２−１と洗剤の量を調整するコック部１２−２と洗剤をホース内に水圧差で吸引し、ホース部１１と蛇口を結合するため、両端にカプラ継手メス部１２−３を設けるアスピレーター筒部１２−４を形成してある。
図１において、引っ掛け金具付で、胴体覆い部の位置変えのためのバネを有する、丈夫な引掛け吊り具１３を形成し、洗浄室上部に吊り下げ具を用意する。【００１０】  図２において、胴体覆い部の内部構造は、洗剤水や濯ぎ水が通るように水路が放射状に成型され、図３のように、胴体覆い部の内側に多数の噴射口を設け、図４、１０−４のように噴射口は、少し丸い突起を設け、洗剤水や濯ぎ水が動物の置くまで入り易くし、更に水圧が地肌に刺激を加え、マッサージ効果を高めるため、動物の毛の生え際方向に４５度の噴射角を形成してある。
尚、胴体覆い部の合成樹脂材質は洗浄状態が観察できる透明が望ましい。
【発明の効果】
【００１１】  本発明は、前記のように構成され、胴体覆い部を有するため、洗剤水や濯ぎ水、動物の毛の飛散による、洗浄室や洗浄者の衣服や身体への汚染がなく衛生的で楽しく行うことが出来る。洗剤の投入量の調整、洗剤水→濯ぎ水→リンス水への切り替えが、コック操作で行なえ能率的である。又、ブラッシング洗いを行なわなくてもよいので、洗浄者の労働負荷が軽減される。
動物の種類や大きさは、胴体覆い部のサイズを何段階に設定し対応できる。
【００１２】  動物のストレス解消として、散歩や遊び、マッサージなど、人手や時間がかる。本発明は、胴体覆い部のシャワー水圧の調整、温水切替えにより、動物の壺を刺激し、マッサージ効果を持たせ、ストレス解消を行なう。
【図面の簡単な説明】
【図１】  本発明の実施例全体の説明図である。
【図２】  胴体覆い部の外側の概略構成図である。
【図３】  胴体覆い部の内側の概略構成図である。
【図４】  胴体覆い部の内部断面の概略構成図である。
【図５】  洗剤供給部の内部断面の概略構成図である。
【符号の説明】
１０  胴体覆い部  １０−１，１２−３  カプラ継手メス
１０−２  マジックテープ帯
１０−３  引掛け吊り具を吊るすフック
１０−４  内側の噴射口
１１  ホース部    １１−１  カプラ継手オス
１２  洗剤供給部  １２−１  洗剤容器との接続ネジ
１２−２  洗剤注入コック
１２−４  アスピレータ筒部
１３  引掛け吊具
【図１】
2006346375.tif 000003
【図２】
2006346375.tif 000004
【図３】
2006346375.tif 000005
【図４】
2006346375.tif 000006
【図５】
2006346375.tif 000007
(57)【要約】【課題】おむつ替えをスムーズに行うための、補助具を提供する。【解決手段】  おむつ替えが必要な赤ちゃんの体の下に敷いて使用する汚れ防止シートと、当該汚れ防止シートの左右両側にそれぞれ折り目を介して延設され、赤ちゃんの腰周りに装着できるように形成された仕切り板とからなることを特徴とするおむつ替え補助具。【選択図】図１
2006346376.tif 000002
【特許請求の範囲】
【請求項１】
おむつ替えが必要な赤ちゃんの体の下に敷いて使用する汚れ防止シートと、当該汚れ防止シートの左右両側にそれぞれ折り目を介して延設され、赤ちゃんの腰周りに装着できるように形成された仕切り板とからなることを特徴とするおむつ替え補助具。
【発明の詳細な説明】
【技術分野】
【０００１】  本発明は、おむつ替えをスムーズに行うための、補助具に関するものである。
【背景技術】
【０００２】  従来、おむつ替え時に、赤ちゃんの手がおしりに届かないようにするための、ついたて式補助具は販売されていなかった。
【発明の開示】
【発明が解決しようとする課題】
【０００３】  そのために、次のような問題点があった。
（イ）赤ちゃんが、汚れたおしりを触らないように、手足をおさえながらのおむつ替えは大変で、時間もかかった。
（ロ）おむつ替えを嫌がって暴れたり、寝返りしたりするのを防ぐため、色々なおもちゃで赤ちゃんの気をひくのが大変だった。
（ハ）寝返り時、赤ちゃんの着衣や床に、汚物が付いてしまうことがあり、困っていた。
本発明は、これらの問題点を解決するためのものである。
【課題を解決するための手段】
【０００４】      おむつ替えが必要な赤ちゃんの体の下に敷いて使用する汚れ防止シートと、当該汚れ防止シートの左右両側にそれぞれ折り目を介して延設され、赤ちゃんの腰周りに装着できるように形成された仕切り板とからなることを特徴とするおむつ替え補助具。
【発明の効果】
【０００５】  （イ）赤ちゃんの手がおしりに届かないため、おしりふきに集中でき、おむつ替えの時間が短縮できる。
（ロ）本発明にかわいい柄をプリントしたり、おもちゃをぶら下げたりする等、工夫を施した時には、赤ちゃんがそれらに気をとられるため、寝返りや機嫌が悪くなるのを一時的に防ぐ効果が期待できる。
（ハ）寝返り時、赤ちゃんの着衣や周辺の床などに、汚物がつきにくい。
（ニ）使用後はコンパクトに折りたためるため、収納や、外出時にも便利である。
（ホ）一枚の板状の素材を切って、係止具を付けた簡単な構造のため、安価で製造できる。
（ヘ）抗菌、撥水加工を施したときには、繰り返し洗えて清潔に使用できるため、環境にやさしい。
【発明を実施するための最良の形態】
【０００６】以下、本発明の実施の形態について説明する。
（イ）汚れ防止シート（１）の上部に、赤ちゃんの腰が通るくらいの腰スペース（７）をとる。
（ロ）腰スペース（７）の部分を除いた汚れ防止シート（１）の左右両辺に折り目（３）（３）を介して、仕切り板（２）（２）を設ける。
（ハ）仕切り板（２）（２）に、仕切り板どうしを係止するための係止具凸部（５）と、係止具凹部（６）を設ける。
本発明は以上のような構成で、これを使用するときは図３に示すように、汚れ防止シート（１）に赤ちゃんを寝かせ、折り目（３）（３）を谷折りにして本体を折り曲げながら、腰周り装着部（８）（８）を赤ちゃんのウエスト部分にあてる。中央係止部（４）（４）を重ね合わせ、図６に示すような係止具凸部（５）を、係止具凹部（６）にはめ込んで係止する。すると、図４に示すように赤ちゃんの下半身と上半身の間の仕切りが立体的に組み立てられ、赤ちゃんの手が汚れた下半身に届かなくなる。また、使用後は折り目（３）（３）を折って、汚れ防止シート（１）と仕切り板（２）（２）を重ね合わせると、図５に示すようにコンパクトにすることができる。
【図面の簡単な説明】
【０００７】
【図１】本発明の展開図
【図２】本発明の組み立て時の斜視図
【図３】本発明の装着方法を示す斜視図
【図４】本発明の使用状態を示す斜視図
【図５】本発明の折りたたんだ状態を示す図
【図６】本発明の支持板を係止する係止具の断面図
【符号の説明】
【０００８】  １  汚れ防止シート
２  仕切り板
３  折り目
４  中央係止部
５  係止具凸部
６  係止具凹部
７  腰スペース
８  腰周り装着部
【図１】
2006346376.tif 000003
【図２】
2006346376.tif 000004
【図３】
2006346376.tif 000005
【図４】
2006346376.tif 000006
【図５】
2006346376.tif 000007
【図６】
2006346376.tif 000008
(57)【要約】【課題】  上記の従来技術の他にも、装身具用素材については様々な検討がなされているが、特に皮膚に接触して用いられる装身具であって、健康増進等の効果が期待されるものに好適な装身具用素材はいまだ提供されていない。そこで本発明者は、検討を重ねた結果、装飾機能と健康増進あるいは治療・治癒機能を兼ね備えた装身具の構成素材に好適な新規な装身具用素材を発明した。【解決手段】  この発明の金合金は、０．１〜２．０重量％のゲルマニウムと、７５〜８８％の金と、残部がパラジウムからなる。これによれば、プラチナ色と遜色ない白色金属光沢と伸延性・加工性に優れ、遠赤外効果による健康増進、治療効果を同時に実現した装身具を提供することが可能になる。【特許請求の範囲】
【請求項１】
０．１〜２．０重量％のゲルマニウムと、７５〜８８％の金と、残部がパラジウムからなることを特徴とする装身具用白色金合金。
【請求項２】
身体に装用した状態で皮膚に接触する外表面が、請求項１記載の装身具用白色金合金で構成されていることを特徴とする装身具。
【発明の詳細な説明】
【発明の詳細な説明】
この発明は、金を主たる構成成分とする装身具用白色金合金で、金が７５〜８８重量％以上の金合金でありながら、０．１〜２．０重量％のゲルマニウムと残部がパラジウムから構成されることにより、金合金でありながら、その色はプラチナ色と遜色ない白色であり、非常に加工性及び伸延性に優れ、加工時における硬度にも優れた白色金合金であることを特徴とする。
【技術分野】この発明は、金を主たる構成成分とする装身具用白色金合金と、これを用いた装身具に関する。
【背景技術】例えば、金を主成分とする金合金は主として装身具用に使用されている。そして金７５重量％、銀１２．５重量％、銅１２．５重量％の金合金はいわゆる１８金として装身具類に使用されている。【０００１】上述のような装身具用の金合金に使用される金素材としては、特開平１０−６０５５６号、特開平１０−６０５５８号、特開平９−２０９０５９号、特開平９−２０９０６０号、特開平７−７０６７１号等に見られるように、種々の微量成分を配合してその硬度や表面強度を高めるようにしたものが知られている。
【発明の効果】
本発明によれば、装飾機能と健康志向機能を兼ね備えた白色金合金、およびこれを材料とした装身具を実現できる。特に、本発明の装身具は、１８金とほとんど変わらない加工性及び伸延性の向上と、その色はプラチナ色と遜色ない白色の金合金装身具の実現と、遠赤外効果による健康増進、治療効果を同時に実現することが可能になる。
【発明が解決しようとする課題】
上記の従来技術は、いずれも金を主たる構成成分として銀・銅・ゲルマニウムあるいはカドミニウムを含むものであり、一般的な装身具用としての好適性をそれぞれ備えている。
【０１】しかし、従来の一般的な装身具用の金合金については、次のような問題がある。まず、銀、銅あるいはカドミニウムを含んでいるので硬度が高く、伸延性に劣り、また、物質的に不安定である。
【０２】また、装身具としては、指輪やピアスのように美的な身体装飾を主要な目的とするもの、あるいは腕時計のベルトのように特定の機能を有する物品（時計本体）を身体に装着することを主要な目的とするものの他に、健康増進や一定の治療・治癒効果を副次的あるいは主要な目的とする健康志向タイプの装身具が知られている。
【０３】しかし、このような健康・治療等を考慮した従来の装身具は、主成分としてゲルマニウムを含んでおり、前述のような金を主成分とした装飾目的のものとは異質である。例えば、特公昭５８−４８１８６号公報に記載されたものでは、Ｎ型、真性あるいはＰ型のゲルマニウムの固形片がテープなどの部材で皮膚に接触するようにされており、電気的な作用により鎮痛や消炎ができるとされている。
【０４】上記の従来技術の他にも、金合金については様々な検討がなされているが、特に皮膚に接触して用いられる装身具であって、健康増進等の効果が期待されるものに好適な金合金は未だ提供されていない。すなわち、ゲルマニウムが有する遠赤外効果、つまり、ゲルマニウムによれば肩凝り等を治療・治癒する健康増進、治療効果が発揮され得ることに着目した金合金は提供されていない。
【０５】そこで本発明者は検討を重ねた結果、装飾機能と健康増進あるいは治療・治癒機能を兼ね備えた装身具の構成素材に好適な新規なプラチナ色と遜色ない装身具用白色金合金を発明した。
【発明の効果】
本発明によれば、装飾機能と健康志向機能を兼ね備えた白色金合金、およびこれを材料とした装身具を実現できる。特に、本発明の装身具は、その色合いはプラチナ色と遜色ない白色金合金であり、従来の装身具用合金に比べ加工性が高く、なおかつ遠赤外効果による健康増進、治療効果を同時に実現することが可能になる。
(57)【要約】      （修正有）【課題】スタンド先端部に吸盤付き回転軸を装着した合わせ鏡スタンドを提供する。【解決手段】重みを付けた台部より立ち上がり軸を設け、上部に続く曲げ伸ばし軸の先端部に吸盤付き回転軸を装着したことを特徴とする合わせ鏡スタンド。【選択図】図２
2006346380.tif 000002
【特許請求の範囲】
【請求項１】
重みをつけた台部から立ち上がり軸を設け、上部に続く曲げ伸ばし軸の先端部に、吸盤付き回転軸を装着したことを特徴とする合わせ鏡スタンド。
【発明の詳細な説明】
【技術分野】
【０００１】  本発明は、スタンドの先端部に吸盤付き回転軸を装着した、合わせ鏡スタンドに関するものである。
［背景技術］【０００２】  従来、三面鏡にセットされた上下合わせ鏡また、浴室壁面鏡にセットされたものがあった。
［発明の開示］
［発明が解決しようとする課題］【０００３】  そのために、次のような問題点があった。
（イ）三面鏡などにセットされた上下合わせ鏡は、首をかがめて苦しい姿勢になり、照明の当て方も難しいものである。
（ロ）浴室壁面にセットされてない場合、合わせ鏡を片手で持つことになり、両手を使えず不便である。
本発明は、これらの問題点を解決するためになされたものである。
［課題を解決するための手段］【０００４】重みをつけた台部より立ち上がり軸を設け、上部に続く曲げ伸ばし軸の先端部に吸盤付き回転軸を装着する。以上を特徴とする合わせ鏡スタンドである。
［発明の効果］【０００５】曲げ伸ばし軸、吸盤付き回転軸の作用により好みの位置角度を維持でき、両手が使用できることで便利である。２セット用意すると照明の都合の良い場所にセットできる。
テラス等に持ち出しても髪の手入れ、髪染めが手軽にできる。
［発明を実施するための最良の形態］【０００６】以下、本発明の実施の形態について説明する。
上下の長さ約１メートルで、台部（１）の上部に立ち上がり軸（２）を設け続く曲げ伸ばし軸（３）の先端部に吸盤付き回転軸（４）を設ける。
本発明は以上のような構成で、これを使用するときは、手つき鏡等を用意する。吸盤付き回転軸（４）の吸盤に鏡の裏面を吸着させる。壁面鏡がある場合はそれを背にして浴用低い椅子に座り、合わせ鏡スタンドを前に置き好みの位置角度に曲げながら調節する。
［実施例１］【０００７】  鏡を１セットに取り付けなかったことは、万一割れた場合を考え、個別に好みのものを吸盤にて吸着させ使用できるようにしたためである。
曲げ伸ばし軸（３）の部分で折り曲げ小さくして収納ができる。
【図面の簡単な説明】
【０００８】    ［図１］本発明の正面図
［図２］本発明の側面図
【符号の説明】
【０００９】    １  台部
２  立ち上がり軸
３  曲げ伸ばし軸
４  吸盤付き回転軸
【図１】
2006346380.tif 000003
【図２】
2006346380.tif 000004
(57)【要約】【課題】  スリッパ、サンダル等の台部を内側に傾斜させて、Ｏ脚、膝痛予防、骨盤矯正を促す履物を提供する。【解決手段】  スリッパの台部（２）の外側及び後方踵部をやや高くした高台部（２ａ）と、台部の内側及び前方のつま先へ向けてやや低くした低台部（２ｂ）を有し、踵部分には衝撃を和らげるためのクッション（４）を内蔵させ、また被甲部（３）は内側（３ａ）の膨らみを外側（３ｂ）よりも少なくした矯正履物である。【選択図】  図１
2006346397.tif 000002
【特許請求の範囲】
【請求項１】
スリッパの台部の外側及び後方踵部をやや高くした高台部と、台部の内側及び前方のつま先へむけてやや低くした低台部を有し踵部分には衝撃を和らげるためのクッションがあり、又被甲部は内側の膨らみを外側よりも少なくした矯正履物。
【発明の詳細な説明】
【技術分野】
【０００１】  本発明はスリッパやサンダル等の台部を内側に傾斜させて、Ｏ脚、膝痛予防、骨盤矯正を促す履物に関するものである。
【背景技術】
【０００２】  今までにＯ脚、膝痛予防、矯正に関する種々の履物について提案がなされている。台部（足をのせる面）の表面全面に突起物がある物、踵部を含む後部を外側が高く中央付近を湾曲させた足底板（特許文献１）、サンダルの外側台部に二箇所に突起物があるもの（特許文献２）、中敷や靴で外側に突出部があるもの（特許文献３）、サンダルの台部を外側から内側にかけ傾斜させ中央に二箇所に突起があるもの（特許文献４）等がある。
【特許文献１】  特開平１０−３２８２２０
【特許文献２】  特開２００４−８９６４６
【特許文献３】  実用新案登録第３１０４２４６
【特許文献４】  実用新案登録第３０１８４０９
【発明の開示】
【発明が解決しようとする課題】
【０００３】  そのために次のような問題点があった。
（イ）中敷だと現在持っている靴や突起物の位置が足の大小に合わせるのが不便、履く靴も限定されてしまう。
（ロ）スリッパやサンダルの被甲部が左右同じ膨らみになっているため、外側から内側に向かって傾斜があると滑り落ちやすくなる。
（ハ）つま先が高い履物は加齢と共に足が上がらずすり足になり、少しの段差にもつま付きやすくなる。
本発明はこれらの問題点を解決するためになされたものである。
【課題を解決するための手段】
【０００４】  スリッパの台部（足をのせる面）の外側及び後方踵部をやや高くした高台部と、台部の内側及び前方つま先へむけてやや低くした低台部を有し、踵部分には衝撃を和らげるためのクッションがあり、又被甲部は内側の膨らみを外側よりも少なくした矯正履物である。
【発明の効果】
【０００５】  本発明は、年齢層を問わず、家の中で日常的に履けるつま先が低く安定感のあるスリッパ型とし着脱しているうちに無理なく自然と膝が内側に向き、Ｏ脚、膝痛も改善される、又本発明の履物を履くことによって長時間の外出も楽になる。
【発明を実施するための最良の形態】
【０００６】  以下本発明の実施の形態を説明する。
（イ）スリッパの台部（２）の外側及び後方踵部をやや高くした台部（２ａ）と、台部（２）の内側及び前方のつま先へ向けてやや低くした低台部（２ｂ）を設ける。
（ロ）踵部分の内部にスポンジクッション（４）を設ける。
（ハ）クッションの表面をカバー（５）で被履する。
（ニ）足先を入れる被甲部（３）に於いて、台部（２）に対して外側（３ｂ）を膨らませ、内側（３ａ）の膨らみを少なくする。
本発明は以上の構成よりなっている。
本発明を使用するときは、室内で着脱しながら使用する。
【図面の簡単な説明】
【０００７】
【図１】  本発明の斜視図である。
【図２】  Ａ−Ａ線の断面図である。
【図３】  Ｂ−Ｂ線の断面図である。
【符号の説明】
【０００８】  １    スリッパ
２    台部
２ａ  高台部
２ｂ  低台部
３    被甲部
３ａ  被甲部の内側
３ｂ  被甲部の外側
４    クッション
５    台部の表面
【図１】
2006346397.tif 000003
【図２】
2006346397.tif 000004
【図３】
2006346397.tif 000005
(57)【要約】【課題】  本発明は、上り傾斜と下り傾斜の両者のパッティング練習が可能になるパッティング練習用マットの研究を重ねた。。【解決手段】  上記目的を達するために、マットの一方の厚みを薄くし、反対側の一方を厚みを厚くし傾斜を設け、マットの両端に穴を開けた構造のパッティング練習用マット。を考案した。【選択図】図１
2006346398.tif 000002
【特許請求の範囲】
【請求項１】
マットの一方の端の厚みを薄くし、逆の一方を厚くして傾斜を設け、両端に穴を開けたパッティング練習用マット。
【発明の詳細な説明】
【技術分野】
【０００１】この発明は、パッティングを練習するときのマットに関するもので、マットに傾斜を儲け、両端に穴をあけ、上り傾斜、下り傾斜のグリーンを想定して練習をするためのパッティング練習用マットである。
【背景技術】
【０００２】従来、パッティング練習用マットでは、上り傾斜と下り傾斜の両者を練習することができなかった。
【発明の開示】
【発明が解決しようとする課題】
【０００３】本発明は、上り傾斜と下り傾斜の両者のパッティング練習が可能になるパッティング練習用マットの研究を重ねた。
【問題を解決するための手段】
【０００４】上記目的を達するために、マットの一方の厚みを薄くし、反対側を厚みを厚くし傾斜を設け、マットの両端に穴を開けた構造のパッティング練習用マット。
【発明の効果】
【０００５】本発明は以上説明したような手段と構成されているので、以下に記載されるような効果を奏する。
【０００６】本発明は、下り斜面のグリーンを想定して練習する場合は、マットの厚みのあるところにボールを置き、マットの薄くなっている端にある穴をめがけてパッティング練習を行う。
【０００７】上り斜面のグリーンを想定して練習する場合は、マットの厚みが薄いところにボールを置き、厚みのある端の穴にめがけてパッティング練習を行う。
【発明を実施するための最良の形態】
【０００８】発明の実施の形態を実施例にもとづき図面を参照して説明する。本案の実施例について説明する。【０００９】マットの一方の厚さを薄くし、逆の一方の厚さを厚くし傾斜を設ける。【００１０】マットの薄い方と厚い方の両端に穴を設ける。
【発明の効果】
【００１１】本発明に係るパッティング練習用マットは、工業的に量産する事が可能であるため、産業上の利用可能性を有する。
【図面の簡単な説明】
【００１２】
【図１】本発明の立体図である。
【図２】本発明の上部からの正面図である。
【図３】本発明の側面からの正面図である。
【符号の説明】
【００１３】１薄い
２厚い
３穴
４マット
【図１】
2006346398.tif 000003
【図２】
2006346398.tif 000004
【図３】
2006346398.tif 000005
(57)【要約】【課題】  従来の器具には、美顔美容健康発毛促進器具は無かった。【解決手段】  両目の周囲を連なるように鼻背と骨格に密着するように切り欠いたラッパ状の弾性材を皮膚に合わせて、強化材の凸面を均一に指で押さえつけることにより弾性材が広がり目の周囲の皮膚が外へ広がり、目が大きく開いた状態になった目を閉じることにより自然に目の周囲、顔、頭、アゴ下、首の筋肉を使うこととなる。目を閉じたら開いての繰り返し運動効果で脂肪を燃焼し、目の周囲、顔、頭、アゴ下、首の無駄な贅肉を取り全体が引き締まり美顔になりさらに、頭の皮膚が活性化し脱毛を防止して発毛促進を促すことができる。これにより、使用者に手軽で簡単な総合性にすぐれた美顔美容健康発毛促進器具を提供できる。【選択図】  図２
2006346396.tif 000002
【特許請求の範囲】
【請求項１】
ラッパ状の弾性材を、両目の周囲を連なるように鼻背と骨格に密着するように切り欠いた面を皮膚に当て、弾性材に強化材を設け連結固定した強化材の凸面を指で均一に押さえつけ、眼を閉じて開いての繰り返し運動をすることを特徴とする美顔美容健康発毛促進器具。
【発明の詳細な説明】
【技術分野】
【０００１】  本発明は、使用者の目の周囲、顔、頭、アゴ下、首の無駄な贅肉を取り、発毛促進を促す美顔美容健康発毛促進器具に関する。
【背景技術】
【０００２】  従来の器具には、使用者の目の周囲、顔、頭、アゴ下、首の無駄な贅肉を総合して一度に取りさらに、発毛促進を促す運動機能を有する美顔美容健康発毛促進器具は無かった。
【発明の開示】
【発明が解決しょうとする課題】
【０００３】  以上に述べた従来の器具には、美顔美容健康発毛促進器具は無かった。
【０００４】  本発明は、従来には無かった問題を解決しようとするものであり、目の周囲、顔、頭、アゴ下、首の無駄な贅肉を総合して一度に取りさらに、発毛促進を促す運動機能を有する美顔美容健康発毛促進器具を実現することを目的とするものである。
【課題を解決するための手段】
【０００５】  そして、本発明は上記目的を達成するために弾性材を皮膚が当たる部分を広くしたラッパ状にし、両目の周囲を連なる鼻背とに密着するように切り欠いた面を皮膚に当て、弾性材に連結固定した固定枠と強化材を設けたものである。
【０００６】  上記の課題の解決手段による作用は次の通りである。すなわち、強化材の凸面を指で均一に押さえつけることによりラッパ状の弾性材が誘導して目の周囲の皮膚を外へ広げ、眼が大きく開いた状態になった眼を閉じることにより運動効果が得られる。
【発明の効果】
【０００７】  上述したように本発明の美顔美容健康発毛促進器具は、目の周囲、顔、頭、アゴ下、首の無駄な贅肉を総合して一度に取りさらに、発毛促進を促す美顔美容健康発毛促進器具を提供できる。
【０００８】  また、上記強化材は、顔面に沿うように湾曲させたものが好ましく、均一の重荷が加わることにより皮膚を広げる効果が得られる。
【０００９】  また、上記強化材は、視界が失われないものが好ましく、歩きながら運動ができる。
【００１０】    また、強化材の溝と弾性材にかみ合わせ部を設け連結固定することにより、固定枠が不必要となり、組み立てが簡単になり軽量化ができる。
【００１１】  また、上記強化材は、切り欠き部を取り除くことにより視界をさえぎる強化材が無くなり、切り欠いていない部分を指で押さえることにより快適に運動ができる。
【００１２】  また、上記強化材の左右両端側を連結して後頭部に掛けられるバンドを設けて、バンドを強く締めれば指で押さえなくても運動ができる。
【００１３】  また、上記強化材の左右両端側を連結してメガネのように耳に引っ掛ける部材を設けることにより手を離しても落ちない。
【発明を実施するための最良の形態】
【００１４】  以下、本発明の実施の形態を図１〜図５に基づいて説明する。【００１５】  図においては、１は両目の周囲を連なるように鼻背と骨格に密着するように切り欠いた弾性材で、２強化材に外周と内周に溝を設け、３固定枠は２強化材の溝に沿った輪状で、２強化材と３固定枠には４ストッパー部が設けられて、１弾性材を３強化材の有する溝に入れてさらに３固定枠をはめ込むことにより４ストッパー部で固定される。【００１６】  また、図４においての、２強化材の溝と１弾性材に、５かみ合わせ部を設けた。【００１７】  また、図５においての、強化材を切り欠き取り除いた６切り欠き部である。【００１８】  以下、上記構成の動作を説明する。ラッパ状の１弾性材を両目の周囲を連なるように鼻背と骨格に密着するように切り欠いた面を肌に当て、１弾性材に３固定枠と２強化材を連結固定した、２強化材の凸面を均一に指で押さえつけることにより重荷がかかり皮膚に密着した面の１弾性材が広がり目の周囲の皮膚が外へ広がり目が大きく開いた状態になった目を閉じることにより運動効果が得られる。目を閉じたら開いての繰り返し運動をすることにより眼の周囲、顔、頭、アゴ下、首の無駄な贅肉を取り、発毛促進に効果が発揮する。【００１９】  また、２強化材の溝と１弾性材に、５かみ合わせ部を設け連結固定することができて、組み立てが簡単になり軽量化になる。【００２０】  また、６切り欠き部を取り除き、切り欠いていない凸面を指で均一に押し当て運動をすることにより、視界をさえぎる強化材が無くなり快適に運動ができる。
【図面の簡単な説明をする】
【００２１】
【図１】
本発明の実施形態を示す美顔美容健康発毛促進器具の下から見た外観図
【図２】
同美顔美容健康発毛促進器具の前方斜め上から見た外観図
【図３】
同美顔美容健康発毛促進器具の図１におけるＡ−Ａ線断面図
【図４】
同美顔美容健康発毛促進器具の図１におけるＡ−Ａ線断面図
【図５】
同美顔美容健康発毛促進器具の前方斜め上から見た外観図図
【符号の説明】
【００２２】１  弾性材
２  強化材
３  固定枠
４  ストッパー部
５  かみ合わせ部
６  切り欠き部
【図１】
2006346396.tif 000003
【図２】
2006346396.tif 000004
【図３】
2006346396.tif 000005
【図４】
2006346396.tif 000006
【図５】
2006346396.tif 000007
(57)【要約】【課題】部屋を間仕切るスライドドアはドア以外の活用法がなく、はずして部屋を広くする場合には収納場所に困り、また大きなテーブルを使用する際にもその収納場所に困っていた。【解決手段】スライドドアに取り外し可能な脚、またはデザイン性の良い折りたたみ脚を取り付けることにより、ドアをはずした時に簡単にテーブルとして使えるようになり、ドアとテーブルの双方の役割を果たし、収納場所にも困らない優れものとなった。【選択図】図１
2006346393.tif 000002
【特許請求の範囲】
【請求項１】
スライドドア（引き戸）に脚を設けたことを特徴とするテーブル。
【請求項２】
前記脚は、取り外し可能なものと、取り付けられていることを特徴とする請求項１記載のテーブル。
【発明の詳細な説明】
【技術分野】
【０００１】  この発明は、部屋の間仕切りのスライドドアの使用に関するものである。
【背景技術】
【０００２】  従来のスライドドアは部屋の間仕切り等として使用されている。
【発明の開示】
【発明が解決しようとする課題】
【０００３】しかしながら、以上の技術によれば、ドアをはずして部屋を広く使う場合には、ドアの収納場所に困り、また大きなテーブルを使用したいときにも、使用時外のテーブルの収納場所に困っていた。
そこで、この発明は、ドアを収納しなくても他に活用出来る事を課題とする。
【課題を解決するための手段】
【０００４】  以上の課題を解決するために、第一発明は、ドアに脚を設けたことを特徴とするテーブルである。
【発明の効果】
【０００５】  第一発明によれば、ドアに脚を装着することによって大きなテーブルとして使え、収納場所もいらなくなる。
【発明を実施するための最良の形態】
【０００６】  この発明の一実施形態を、図１に示す。
スライドドアの本体は合板等、ドアまたはテーブルにふさわしい素材のもので、四方角付近にオニメナットが設けられている。脚は木製等でハンガーボルトとビニール製パッキンが付けられている。【０００７】「実施形態の効果」
この実施形態によれば、ドアを取り外した時に収納場所がなくても、脚を４本付けることによってテーブルとして使用でき、収納場所が必要なくなる。【０００８】「他の実施形態」
図１の実施形態では、脚を取り外し可能なもので作っているが、他の実施形態では、はじめから折りたたみ式の脚を備えていても良い。
【図面の簡単な説明】
【０００９】
【図１】この発明の一実施形態を示す斜視図である。
【図２】従来技術を示す斜視図である。
【符号の説明】
【００１０】  １  ドア本体            ２  取り付け脚
【図１】
2006346393.tif 000003
【図２】
2006346393.tif 000004
(57)【要約】      （修正有）【課題】バタービーターの柄部にクリップを設けたことを特徴とした、バタービーターに関する。【解決手段】バタービーターの固定すくい部３にもう一枚重ね二枚重ねにして柄部１にクリップ２を設けたことによってバネの働きで回動すくい部４が回動運動するため材料を挟み込むようにして落下しないように使用出来るバタービーターである。【選択図】図２
2006346394.tif 000002
【特許請求の範囲】
【請求項１】
バタービーターのすくい部にもう一枚重ね二枚重ねにして柄部にクリップを設けることによってバネの働きで回動すくい部が回動運動をすることによって材料を挟み込むことを特徴とするバタービーター。
【発明の詳細な説明】
【技術分野】
【０００１】本発明は、バタービーターの柄部にクリップを設けたことを特徴とした、バタービーターに関する。
【背景技術】
【０００２】従来のバタービーターの仕組みは、一枚のすくい部だけで構成されている物が一般的だった。
【発明の開示】
【発明が解決しようとする課題】
【０００３】そのために、次のような問題点があった。
従来のバタービーターでは、材料をすくい部に載せてお皿に盛り付ける際に滑って落下することがあったために、挟み込むようにして落下しないように本発明はこれらの問題点を解決するためになされたものである。
【課題を解決するための手段】
【０００４】バタービーターの固定すくい部にもう一枚重ね二枚重ねにして柄部にクリップを設けたことによってバネの働きで回動すくい部が回動運動するため材料を挟み込むようにして落下しないように使用出来るバタービーターである。
【発明の効果】
【０００５】本発明を使用することによってお皿に盛り付ける際、材料を挟み込むようにして落下しないように使用出来る。
【発明を実施するための最良の形態】
【０００６】以下、本発明の実施の形態について説明する。
（イ）柄部（１）に回動すくい部（４）が開いたり閉じたりする為のクリップ（２）を設ける。
（ロ）材料を返す際は、固定すくい部（３）と回動すくい部（４）を重ねて材料を返し盛り付けの際は、回動すくい部（４）を開いて材料を挟み込むようにして使用する。
発明は以上のような構成で、これを使用するときは、固定すくい部（３）と回動すくい部（４）を重ねて材料を返し盛り付けの際は、柄部（１）に設けられているクリップ（２）で固定すくい部（３）に重ね合わせてある回動すくい部（４）を開いて材料を挟み込むようにして使用出来る。
【図面の簡単な説明】
【０００７】
【図１】本発明の斜視図
【図２】本発明の使用状態を示した斜視図
【図３】本発明の使用状態を示した側面図
【符号の説明】
【０００８】  １  柄部
２  クリップ
３  固定すくい部
４  回動すくい部
５  滑り止め防止
【図１】
2006346394.tif 000003
【図２】
2006346394.tif 000004
【図３】
2006346394.tif 000005
(57)【要約】【課題】    フライパンとフライパンの中の材料の重さが人の腕にかかっていた。【解決手段】側面のアームとレールにより又吊り下げることにより軽く動かすだけで手動で楽にフライパンを振ることが出来るようになり、モーター式の場合は自動的に掻き回すことが出来る。【選択図】    図１
2006346391.tif 000002
【特許請求の範囲】
【請求項１】
フライパンの両側面にレールを設け、フライパン及びフライパン取り付け枠がレールをスライドすることでフライパンを振る操作をする炒めフライパンの装置。
【請求項２】
前記のレールの位置を高くして、フライパン及びフライパン取り付け枠を吊るすことを特徴とするフライパンを振る装置。
【請求項３】
フライパン及びフライパン取り付け枠をモーター回転で回転盤の軸と連結して、前後に動くようにする炒めフライパンの装置。
【発明の詳細な説明】
【技術分野】
【０００１】  特願２００５−１０６７２３を改良出願し直すものです。本発明は炒め物を作る時に中の材料を掻き回すフライパンの装置である。
【背景技術】
【０００２】  従来、各職種において掻き回す道具は数多くあったが、フライパンは、油汚れ、高温と悪条件が重なり常に手入れの必要なもので、掃き回す装置があると却って邪魔になることがあった。そのため改良されず現在も手で振る操作で炒め物をしていた。
【発明の開示】
【発明が解決しようとする課題】
【０００３】  フライパンを振るということは、フライパンの重さと中の材料の重さとで、焼きそば、スパゲッティーなどはフライパンでは大量に作れなかった。この掻き回し操作を、アーム上のレールにスライドさせることで解決しようとするものである。
【課題を解決するための手段】
【０００４】  図１のように、レンジ等に固定するアーム３に取り付けた奥のほうが円形状のレール１を心棒に回転輪のある凸部２がフライパンを吊るした状態でスライドするようにする。【０００５】  図２は固定アーム３に把っ手４を設ける。固定アーム３に取り付けたレール１に吊るした状態のフライパン取り付け枠５をスライドさせるように取り付ける。【０００６】  図３は電動式である。フライパンの柄の部分にモーター６を取り付ける。モーターの回転盤７に軸８を設ける。モーターカバーに固定したアーム３に円形状のレール１をフライパンの側面に２本設ける。そのレール上に動く凸部２を設け回転盤７を回転することで軸８に連結するフライパン及びフライパン取り付け枠が前後に動きフライパンを振る操作をするものである。
【発明の効果】
【０００７】  本発明により、今までフライパンとフライパンの中の材料の重さが人の腕にかかっていたが、側面のアームとレールにより又吊り下げることにより軽く動かすだけで手動で楽にフライパンを振ることが出来るようになり、モーター式の場合は自動的に掻き回すことが出来るので便利である。
【発明を実施するための最良の形態】
【０００８】  本発明のスライドフライパンは、図１のフライパンの側面に凸部を直接取り付ける方法と、図２のアーム３に把っ手４を設け、そのアームに１のレールを取り付け、フライパン取り付け枠５が回転輪のある２の移動部分と、吊るされた状態の遠心力によりフライパンの中の材料を掻き回すものである。図３は電動式であるが、フライパンの柄と、モーターは、噛み合せ、取りはずすようにする。【０００９】  凸部２のレールを移動する部分は、心棒に回転輪を設けフライパンが転がり易くする。
【産業上の利用可能性】
【００１０】  今まで大量に出来なかった手動操作を、アームとレールと吊り下げることにより、又モーターにより大量に掻き回すことが出来るので容易である。
【図面の簡単な説明】
【００１１】
【図１】フライパンの側面に凸部を直接取り付ける方法の立体図である。
【図２】取り付け枠がある方法の立体図である。
【図３】電動式のフライパンの立体図である。
【符号の説明】
【００１２】  １  レール
２  心棒に回転輪のある凸部
３  アーム
４  アームの把っ手
５  フライパン取り付け枠
６  モーター
７  回転盤
８  軸
９  スイッチ
１０  折り畳むスタンド
１１  フライパンと、モーターを分離
１２  レンジ等に固定する安定金具
１３  アーム固定ネジ
【図１】
2006346391.tif 000003
【図２】
2006346391.tif 000004
【図３】
2006346391.tif 000005
(57)【要約】【課題】トレーを台板から取り外し、単体で什器に引っ掛けて商品を陳列できる陳列具を提供する。【解決手段】台板１の前側にトレー２を配置し、台板１に設けた差込穴４にトレー２の後壁８から延びる差込片１３を差し込み、台板１の後面に差込片１３を接着して、台板１にトレー２を取り付けた陳列具において、前記トレー２の差込片１３に横断方向の切取部１４を設け、この切取部１４より先端側で差込片１３を台板１に接着し、トレー２の後壁８に、塑性変形させてフックとなる平板状の引掛具１５を取り付ける。紐３で吊り下げて商品を陳列できるだけでなく、切取部１４に沿って差込片１３を切断することにより、トレー２を台板から取り外し、引掛具１５を塑性変形させてフックとし、引掛具１５を什器の横桟等に引っ掛けた状態で、商品を陳列することができる。【選択図】図１
2006346345.tif 000002
【特許請求の範囲】
【請求項１】
台板１の前側にトレー２を配置し、台板１に設けた差込穴４にトレー２の後壁８から延びる差込片１３を差し込み、台板１の後面に差込片１３を接着して、台板１にトレー２を取り付けた陳列具において、前記トレー２の差込片１３に横断方向の切取部１４を設け、この切取部１４より先端側で差込片１３を台板１に接着し、トレー２の後壁８に、塑性変形させてフックとなる平板状の引掛具１５を取り付けたことを特徴とする陳列具。
【発明の詳細な説明】
【技術分野】
【０００１】
この発明は、店頭に吊下又は設置して商品を陳列する陳列具に関するものである。
【背景技術】
【０００２】
従来、紙製の商品陳列具として、下記特許文献１には、台板の前側に複数個のトレーを上下に並べて配置し、台板に設けた差込穴にトレーの後壁から延びる差込片を差し込み、台板の後面に差込片を接着して、台板にトレーを取り付け、台板の上部に挿通した紐で吊り下げて、トレーに収納した商品を陳列するものが記載されている。
【０００３】
【特許文献１】特開平１１−２０６５２７号公報
【発明の開示】
【発明が解決しようとする課題】
【０００４】
ところで、店頭の状況によっては、陳列具をそのまま吊り下げるのではなく、トレーを単体で什器に引っ掛けて商品を陳列したいという要望もあるが、上記陳列具では、そのような要望に対応することができないという問題がある。
【０００５】
そこで、この発明は、トレーを台板から取り外し、単体で什器に引っ掛けて商品を陳列できる陳列具を提供することを課題とする。
【課題を解決するための手段】
【０００６】
上記課題を解決するため、この発明は、台板の前側にトレーを配置し、台板に設けた差込穴にトレーの後壁から延びる差込片を差し込み、台板の後面に差込片を接着して、台板にトレーを取り付けた陳列具において、前記トレーの差込片に横断方向の切取部を設け、この切取部より先端側で差込片を台板に接着し、トレーの後壁に、塑性変形させてフックとなる平板状の引掛具を取り付けたのである。
【発明の効果】
【０００７】
この陳列具では、従来どおり、台板の上部に挿通した紐で吊り下げて商品を陳列できるだけでなく、切取部に沿って差込片を切断することにより、トレーを台板から取り外し、引掛具を塑性変形させてフックとし、引掛具を什器の横桟等に引っ掛けた状態で、商品を陳列することができる。
【発明を実施するための最良の形態】
【０００８】
以下、この発明の実施形態を添付図面に基づいて説明する。
【０００９】
この陳列具は、図１に示すように、台板１の前側に２個のトレー２を上下に並べて配置し、商店の店頭において、台板１の上部に挿通した紐３で吊り下げて、トレー２に収納した商品を陳列するものである。
【００１０】
台板１は、板紙を積層した合紙から成り、図２に示すように、そのブランクでは、横長スリット状の差込穴４が高さ方向の中間部及び下部に設けられ、両側に補強片５が連設されている。補強片５は、後方へ折り曲げて台板１の裏側に張り付けられる。
【００１１】
トレー２は、一枚の板紙から成り、図３に示すように、そのブランクでは、前壁６の両側に側壁７が連設され、一方の側壁７に後壁８及び継代片９が順次連設されている。前壁６、側壁７及び後壁８の下端には底面板１０が連設され、前壁６の上端には前重板１１及び底重板１２が順次連設されている。
【００１２】
前壁６は後壁８よりも背が低く、側壁７の前縁上部は斜めに切断されている。後壁８の上端には差込片１３が連設され、差込片１３には、横断方向の切取部１４が設けられている。切取部１４は、断続する鉤形切目が２本並行したジッパとされている。
【００１３】
いま、このトレー２のブランクを組み立てるには、図１に示すように、前壁６、側壁７及び後壁８を角筒状に折り曲げて、継代片９を反対側の側壁７に貼り付け、底面板１０の接着及び噛合により底面を閉止し、前重板１１を前壁６の後面に、底重板１２を底面板１０の上面にそれぞれ重ねる。
【００１４】
また、後壁８の後面に、金属薄板から成る２枚の引掛具１５を、幅方向に間隔をおいて鳩目１６により旋回可能に取り付ける。引掛具１５には、手で折り曲げて塑性変形させられるものであれば、プラスチック板や厚紙等、他の材料を用いてもよい。
【００１５】
このように組み立てたトレー２を台板１に取り付けるには、トレー２の差込片１３を台板１の差込穴４に差し込んで上方へ折り曲げ、台板１の後面に切取部１４より先端側で接着する。このとき、引掛具１５はトレー２の内側へ旋回させて、台板１とトレー２の後壁８の間に隠れるようにしておく。
【００１６】
上記陳列具によると、従来どおり、紐３で吊り下げて商品を陳列できるだけでなく、図４に示すように、切取部１４に沿って差込片１３を切断することにより、トレー２を台板から取り外し、図５に示すように、引掛具１５を適宜旋回させ、塑性変形させてフックとし、引掛具１５を什器Ｆの横桟ｂ等に引っ掛けた状態で、トレー２に収納した商品を陳列することができる。
【図面の簡単な説明】
【００１７】
【図１】この発明の実施形態に係る陳列具の吊下陳列状態を示す斜視図
【図２】同上の台板のブランクを示す図
【図３】同上のトレーのブランクを示す図
【図４】同上の台板からトレーを分離する過程を後方から示す斜視図
【図５】同上のトレー単体による引掛陳列状態を示す斜視図
【符号の説明】
【００１８】
１  台板
２  トレー
３  紐
４  差込穴
５  補強片
６  前壁
７  側壁
８  後壁
９  継代片
１０  底面板
１１  前重板
１２  底重板
１３  差込片
１４  切取部
１５  引掛具
１６  鳩目
【図１】
2006346345.tif 000003
【図２】
2006346345.tif 000004
【図３】
2006346345.tif 000005
【図４】
2006346345.tif 000006
【図５】
2006346345.tif 000007